(57)【要約】【課題】肉厚以上の断熱効果が得られるコップホルダーシート、コップホルダーの提供。【解決手段】テーパ形状のコップに巻き付ける態様で被せる円弧帯状のカバーと、カバーの円弧方向の一方端部から延長すると共に他方端部に重ね合わせる連結片とを備える一枚のプラスチックシートである。カバーは、コップから離間する非接触部と、非接触部の周りを包囲しコップに接触する接触部とを備えている。非接触部は、接触部に対して厚み方向に膨らんだ断熱室であり、且つ円弧方向に間隔をあけて設けてある。よって、使用時にはコップとコップホルダーの間に断熱空間が形成され、断熱効果が得られる。【選択図】      図１
2014087398.tif 000002
【特許請求の範囲】
【請求項１】
テーパ形状のコップに巻き付ける態様で被せる円弧帯状のカバーと、カバーの円弧方向の一方端部から延長すると共に他方端部に重ね合わせる連結片とを備える一枚のプラスチックシートであって、
カバーは、コップから離間する非接触部と、非接触部の周りを包囲しコップに接触する接触部とを備え、
非接触部は、接触部に対して厚み方向に膨らんだ断熱室であり、且つ円弧方向に間隔をあけて設けてあることを特徴とするコップホルダーシート。
【請求項２】
接触部は、コップの上側に接触させる上接触部と、下側に接触させる下接触部、及び上下接触部の間において円弧方向に間隔をあけて架設される中側接触部とを備え、
各中側接触部は、円弧の中心から放射状に延長する折り目を備えることを特徴とする請求項１記載のコップホルダーシート。
【請求項３】
接触部は、コップのテーパ面に面接触するように湾曲していることを特徴とする請求項１又は２記載のコップホルダーシート。
【請求項４】
重ね合わせるカバーの非接触部と連結片には嵌脱可能な係止部と被係止部を振り分けて設けてあり、
係止部と被係止部が非接触部の膨らみの範囲内で形成されていることを特徴とする請求項１、２又は３記載のコップホルダーシート。
【請求項５】
請求項１、２、３又は４記載のコップホルダーシートの連結片をカバーの円弧方向の他方端部に重ね合わせて固定し、全体がテーパ形状を成していることを特徴とするコップホルダー。
【発明の詳細な説明】
【技術分野】
【０００１】
本発明は、テーパ形状のコップに巻き付ける態様で被せるコップホルダーシート、及びそのコップホルダーシートで製作されたコップホルダーに関する。
【背景技術】
【０００２】
飲食店や自動販売機、或いはイベントや野球場等では、飲料等をテーパ形状のコップに入れて提供することがある。このような用途に用いられるコップは、俗に言う使い捨てにされることが多いため、安価で少資源の観点から、通常、薄い紙や薄肉のプラスチックで形成されていることが多い。以下、この種のコップを簡易コップと言う。
【０００３】
ところで、コップに注がれる飲料等は、通常、季節に応じて熱かったり、冷たかったりする。しかしながら、簡易コップは、薄いので、保温性、保冷性がなく、飲料等の温度が短時間で大幅に変化する。特に、冷たい飲料等の場合には、手の平の熱が簡易コップから飲料に伝わるので、より短時間でぬるくなってしまう。また、飲料等の熱さや冷たさが、薄い簡易コップを通して手の平に伝わると、不快な場合もある。
【０００４】
そこで、手の平に伝わる不快感を解消するコップホルダーとして、波板型或いはエンボス加工した紙を平らな紙に貼り合わせた帯状の紙（コップホルダーシート）を用い、テーパ形状に形成したもの（紙製品）が公知となっている（特許文献１）。
【０００５】
また、保温性、保冷性のあるコップホルダーシートとして、発泡プラスチック又は発泡ゴムからなる弾性を有する断熱板を用いたものが公知となっている（特許文献２）。
【先行技術文献】
【特許文献】
【０００６】
【特許文献１】特開２０００−２２９６７７号公報
【特許文献２】実開平２−１０５８２７号公報
【発明の概要】
【発明が解決しようとする課題】
【０００７】
しかしながら、何れも十分な断熱効果が得られない。より詳しく言えば、帯状の紙を用いたコップホルダーの場合、平面視すると、コップの外側を内側（波板型）の紙が波打つように取り囲む形態で使用される。そうすると、波板型の紙の頂部（内側部）はコップに接しても、紙の底部（外側部）はコップから離れてしまう。そして、コップとの間に形成される空間が上下方向に貫通していることになり、コップから伝わる熱がそのまま上下方向に逃げていってしまう。
【０００８】
また、発泡プラスチック等の場合、断熱効果は、断熱板の中に形成される気泡の容積に依存するので、十分な断熱効果を得るには、１個あたりの材料を増やして断熱板の肉厚を厚くしなければならない。
【０００９】
本発明は、上記実情を考慮したもので、肉厚以上の断熱効果が得られるコップホルダーシート及びコップホルダーを提供することを目的とする。
【課題を解決するための手段】
【００１０】
本発明のコップホルダーシートは、テーパ形状のコップに巻き付ける態様で被せる円弧帯状のカバーと、カバーの円弧方向の一方端部から延長すると共に他方端部に重ね合わせる連結片とを備える一枚のプラスチックシートであって、カバーは、コップから離間する非接触部と、非接触部の周りを包囲しコップに接触する接触部とを備え、非接触部は、接触部に対して厚み方向に膨らんだ断熱室であり、且つ円弧方向に間隔をあけて設けてあることを特徴とする。
【００１１】
プラスチックシートは、曲がり難いものなので、コップのテーパ面に沿うようにすることは難しく、それを容易にするには、次のようにことが望ましい。
すなわち、接触部は、コップの上側に接触させる上接触部と、下側に接触させる下接触部、及び上下接触部の間において円弧方向に間隔をあけて架設される中側接触部とを備え、各中側接触部は、円弧の中心から放射状に延長する折り目を備えることである。
【００１２】
同様に、カバーをコップのテーパ面に沿い易くするには、次のようにすることが望ましい。
すなわち、接触部は、コップのテーパ面に面接触するように湾曲していることである。
【００１３】
また、連結片をカバーに固定する手段は問わず、接着、熱での溶着等でも良いが、プラスチックシートであることを利用して固定するには次のようにすることが望ましい。
すなわち、重ね合わせるカバーの非接触部と連結片には嵌脱可能な係止部と被係止部を振り分けて設けることである。また、係止部と被係止部を非接触部の膨らみの範囲内で形成することで、コップホルダーシート全体としての厚みを薄くできる。
【００１４】
コップホルダーシートは、プラスチックシートであるので、重ね合わせれば保管する空間を小さくできるが、コップに取り付けて使用するものであるため、コップホルダーを組み立てるための時間を要する。例えば多数の客に飲料を短時間で提供する際には、その組み立て時間が十分に確保できないことも想定される。従って、予め、組み立て状態にしておきながらも、保管する空間をできるだけ小さくすることのできるコップホルダーが望ましい。
すなわち、そのコップホルダーとは、本発明のコップホルダーシートの連結片をカバーの円弧方向の他方端部に重ね合わせて固定し、全体がテーパ形状を成すようにすることである。
【発明の効果】
【００１５】
本発明のコップホルダーシートによれば、カバーの一端部に他端側の連結片を重ね合わせ、その重ね合わせ部分を固定することで、テーパ形状のコップホルダーを製作できるものである。そして、コップホルダーをコップに被せれば、コップに対して接触部が接することによりカバーが安定し、しかも、非接触部の周りを接触部で包囲してあることから、断熱室である非接触部とコップとの間には断熱空間が形成され、一枚のプラスチックシートでありながら肉厚以上の十分な保温効果が得られる。
【００１６】
また、上、中、下接触部を備えるものであれば、隣り合う２本の中接触部と対向する上下接触部とが矩形の枠状となって全体の強度を向上させることができ、その上、折り目の部分を折り曲げ易くなることから、接触部がコップに接触し易くなり、断熱効果が向上する。
【００１７】
さらに、接触部をコップのテーパ面に面接触するように湾曲したものであれば、接触部とコップの接触がより緊密となるので、その分、断熱効果が向上する。
【００１８】
また、連結片とカバーの非接触部との重ね合わせ部分には嵌脱可能な係止部と被係止部を振り分けて設けてあるので、これらを嵌合して固定できる。また、係止部と被係止部を非接触部の膨らみの範囲内で形成してあるので、コップホルダーシート全体の厚みが抑えられ、保管する空間を小さくすることができる。
【００１９】
本発明のコップホルダーは、本発明のコップホルダーシートを用いて形成したものであるので、前記と同様の効果を有する。しかも、既に組立てられているので、使用現場での組み立てが不要で、その分、本来の目的である飲み物を提供する作業効率が向上する。また、全体がテーパ形状を成しているので、内側に重ねるようにして保管することができ、保管する空間を必要以上に取らなくて済む。
【図面の簡単な説明】
【００２０】
【図１】本発明によるコップホルダーシートの第１実施形態を示す平面図（イ）、Ａ−Ａ線端面図（ロ）、Ｂ−Ｂ線端面図（ハ）、Ｃ−Ｃ線端面図（ニ）である。
【図２】第１実施形態のコップホルダーの使用状態を示す斜視図である。
【図３】第１実施形態のコップホルダーシートの使用状態を示す要部拡大図付き横断面図である。
【図４】（イ）（ロ）は、第１実施形態のコップホルダーシートからコップホルダーを製作する手順を示す横断面図である。
【図５】第１実施形態のコップホルダーの積み重ね状態を示す斜視図である。
【発明を実施するための形態】
【００２１】
本発明のコップホルダーシート及びコップホルダーの使用対象は、テーパ形状のコップである。コップは、肉厚及び材質を問わないが、一例として、強く持つと変形し力を解放すると復元する程度の薄肉プラスチック製の簡易コップが挙げられる。
【００２２】
本発明の第１実施形態のコップホルダーシート１は、図１〜図３に示すように、一枚の硬直なプラスチックシートである。この硬直性は、外力を加えるとプラスチックシートを湾曲させることができ、外力を解放すると元の状態に戻る程度である。また、プラスチックシートの厚さは、例えば１ｍｍ以下であり、望ましくは０．２ｍｍ〜０．５ｍｍである。
【００２３】
プラスチックシートは、厚み方向に凸凹のある全体として平らな透明なシートであり、例えば真空成形によって成形し、コップ９０に巻き付ける態様で被せるカバー２と、カバー２をテーパ形状に維持するための連結片３とを備えている。また、全体として円弧状であるカバー２の円弧方向の一端部から反対側の他端部に重ね合わせる連結片３をその円弧方向に沿って延長している。図示の例では、円弧方向の左側の端部には、円弧の仮想の中心に対する半径方向（以下、「縦幅方向」という。）の中間部に連結片３を備え、円弧方向の右側の端部には、縦幅方向の内側部及び外側部に連結片３を備えている。
【００２４】
カバー２は、全体として円弧帯状であって、コップ９０に接触する接触部４と、コップ９０から離間する非接触部５とを備え、非接触部５の周りを接触部４で包囲している。
【００２５】
接触部４は、コップ９０の上側に接触する上接触部４１と、下側に接触する下接触部４３と、コップ９０の中側に接触する中接触部４２とを備え、上下接触部４１、４３の間に中接触部４２を架設すると共に、複数の中接触部４２を円弧方向に等間隔をあけて設けてある。図示の例では、中接触部４２は、架設方向である縦幅方向において、上接触部４１及び下接触部４３の領域に入り込むような状態となっている。このため、上下接触部４１、４３は、全体として円弧状であるが、詳しくは円弧状の横帯部４１ａ、４３ａが円弧方向に等間隔をあけて設けられている。そして、隣り合う横帯部４１ａ、４３ａの間に中接触部４２の端部が介在するような形態となっている。また、対向する上下横帯部４１ａ、４３ａとこれらに隣り合う２つの中接触部４２によって各非接触部５（後述の断熱室）の周りを、全体として枠状に包囲している。このような枠状に包囲する部分の集合によって接触部４が形成される。
【００２６】
上下接触部４１、４３の横帯部４１ａ、４３ａは、コップ９０のテーパ面に面接触するように予め湾曲している。また、同じ目的で、上側の横帯部４１ａは、その上辺を上側に向かって円弧状に膨らむように形成してあり、同様に、下側の横帯部４３ａは、その下辺を下側に向かって円弧状に膨らむように形成してある。従って、接触部４のうち少なくとも上下接触部４１、４３は、非接触部５の周りを包囲する部分毎にコップ９０のテーパ面に面接触するように湾曲している。
【００２７】
中接触部４２は、その横幅方向（円弧方向）の中間部に縦幅方向（円弧の仮想の中心から放射状）に延長する折り目としてのミシン目４２ａ（点線状の孔（切り込み））を備えている。このミシン目４２ａが折り曲げ線となる。
【００２８】
非接触部５は、縦幅方向に延長する縦長形状であって、接触部４に対して厚み方向に膨らんでおり、接触部４側（コップ９０側）に向かって開口する断熱室となっている。コップ９０に接触部４を当接すると、断熱室の開口がコップ９０によって閉鎖され、コップ９０の外側には断熱空間５ａが形成される。また、非接触部５は、枠状の接触部４の内側から前記厚み方向に突出する枠壁部５１と、枠壁部５１の突出先端側を塞ぐ外壁部５２とから構成される。そして、外壁部５２は、コップ９０から半径方向に離間して略平行な状態となっており、より詳しく言えば、その離れた位置に相当する仮想のテーパに沿うように予め湾曲している。
【００２９】
連結片３は、円弧方向に沿って延長する帯形状であって、重ね合う対象の接触部４及び非接触部５に沿う凹凸が形成された形状である。また、各連結片３と、各連結片３を重ね合わせる非接触部５には、嵌脱可能な係止部としての係止凸部６と被係止部としての被係止凹部７を振り分けて形成してある。図示の例では、各連結片３と非接触部５のうち、コップ９０に接触する方（図１（ハ）の右端の非接触部５）には被係止凹部７を形成し、もう一方（同図の左端の連結片３）には係止凸部６を形成してある。具体的には、非接触部５の外壁部５２の一部、並びに連結片３の一部（非接触部５の外壁部５２に相当する部分の一部）を接触部４と同じ高さまで突出し、この突出量を非接触部５の膨らみの範囲内としてある。
また、この突出部分を係止凸部６又は被係止凹部７とし、これらは、先細りの筒部６１、７１と筒部６１、７１の先端を塞ぐ天壁部６２、７２とから構成されており、被係止凹部７の内側に係止凸部６が嵌脱可能となる。より詳しく言えば、カバー２の円弧方向端部における縦幅方向に離間して設けられた２つの連結片３、並びにこれら連結片３に近い方の非接触部５には、先細りに窪む被係止凹部７が形成され、残りの１つの連結片３、並びにこの連結片３に近い方の非接触部５には先細りに突出する係止凸部６が形成されている。
【００３０】
前記した第１実施形態のコップホルダーシート１は、図４に示すように、連結片３をカバー２の非接触部５に重ね合わせて、係止凸部６と被係止凹部７をプラスチックシートの弾性を利用して嵌合することにより、全体としてテーパ形状の第１実施形態のコップホルダー１０となる。被係止凹部７と係止凸部６は、コップホルダー１０の内側に向かって突出する形態となっている。また、この突出量は、非接触部５の膨らみの範囲内であるので、テーパ形状となった場合の全体としての肉厚が、薄くて済む。したがって、図５に示すようにコップホルダー１０を複数重ね合わせてもその高さを低く抑えられる。
【００３１】
また、コップ９０が簡易コップである場合には、簡易コップ９０の外側にコップホルダー１０を巻き付ける態様で被せることにより、簡易コップ９０とコップホルダー１０とが部分的に重なり合い、薄肉同士の重なり合いでありながら全体としての剛性が向上し、しっかりと持っても変形し難くなる。なお、コップホルダー１０が透明であるので、簡易コップ９０が透明であれば、その中の液体を外部から透視することができる。
【００３２】
本発明は上記実施形態に限定されるものではない。例えば、上接触部４１は、円弧方向に隣り合う横帯部４１ａの間に中接触部４２の端部が介在するような形態、つまり円弧方向に間隔をおいて設けられる形態に限らず、円弧方向に連続する形態であっても良く、この場合、中接触部４２は、上下接触部４１、４３の間の範囲にのみ介在する形態となる。下接触部４３についても同様である。また、中接触部４２は、平板形状であるが、上下接触部４１、４３と同様に面接触するように予め湾曲した形状であっても良く、この場合、ミシン目４２ａを境にして対称的に湾曲する形状となる。
【００３３】
その他に、折り目は、ミシン目４２ａのような短い孔が多数一直線状に設けられるものに限らず、長孔が数個設けられるもの等であっても良い。
また、係止部と被係止部とは、凹部と凸部による嵌抜可能な構成に限らず、スリットのような切り口と、矢先の鏃（やじり）状のもの等、他の構成であっても良い。
なお、係止凸部６や被係止凹部７を設けることなく、連結片３を接着等によってカバー２に固定しても良い。
【符号の説明】
【００３４】
１コップホルダーシート
２カバー
３連結片
４接触部
４１上接触部、４１ａ横帯部
４２中接触部、４２ａミシン目（折り目）
４３下接触部、４３ａ横帯部
５非接触部、５ａ断熱空間
５１枠壁部、５２外壁部
６係止凸部（係止部）
６１筒部、６２天壁部
７被係止凹部（被係止部）
７１筒部、７２天壁部
１０コップホルダー
９０コップ
【図１】
2014087398.tif 000003
【図２】
2014087398.tif 000004
【図３】
2014087398.tif 000005
【図４】
2014087398.tif 000006
【図５】
2014087398.tif 000007